(57)【要約】【課題】用途等に応じてタンクとポンプユニットとを自在に選択して組合わせて使用できる噴霧器を提供する。【解決手段】本発明に係る噴霧器１０は、タンク１２と、タンク１２に取り付けられ、タンク１２の中の液体を送出するポンプユニット１４を具備する噴霧器１０において、タンク１２に液体流出口１６が設けられ、ポンプユニット１４に、液体受入口１８が設けられ、タンク１２とポンプユニット１４とが液体流出口１６と液体受入口１８とが直接嵌合して接続される状態で組み付け可能に設けられていることを特徴とする。【選択図】図５
2016087496.tif 000002
【特許請求の範囲】
【請求項１】
タンクと、該タンクに取り付けられ、タンクの中の液体を送出するポンプユニットを具備する噴霧器において
前記タンクに液体流出口が設けられ、
前記ポンプユニットに、液体受入口が設けられ、
前記タンクと前記ポンプユニットとが前記液体流出口と前記液体受入口とが直接嵌合して接続される状態で組み付け可能に設けられていることを特徴とする噴霧器。
【請求項２】
前記ポンプユニット側の前記液体受入口が雄型の筒体をなし、
前記タンク側の前記液体流出口が雌型の筒体をなし、
前記雄型の筒体外壁と前記雌型の筒体の内壁との間にシール部材が配設され、
前記雄型の筒体が前記雌型の筒体に嵌入した状態で接続されることを特徴とする請求項１記載の噴霧器。
【請求項３】
前記タンク側の前記液体流出口内に、前記タンクと前記ポンプユニットとが分離された際に、前記タンク内の流体の流出を阻止する逆止弁が配設されており、
前記タンクと前記ポンプユニットが組み付けられた際、前記雄型の筒体により前記逆止弁が移動されて、前記液体流出口と前記液体受入口とが連通することを特徴とする請求項２記載の噴霧器。
【請求項４】
前記タンクと前記ポンプユニットとの間に、両者の組み付け状態を維持するワンタッチ式の留め具が設けられていることを特徴とする請求項１〜３いずれか１項記載の噴霧器。
【請求項５】
複数種類の前記タンクが準備されていることを特徴とする請求項１〜４いずれか１項記載の噴霧器。
【発明の詳細な説明】
【技術分野】
【０００１】
本発明は、タンクとポンプユニットとを自在に選択して組合わせて使用できる噴霧器に関する。
【背景技術】
【０００２】
例えば特許文献１に示されるように、消毒剤の散布や除草剤の散布等に用いられる簡易な噴霧器は、タンクにポンプユニットを固定ネジ等の固定手段によって固定し、タンクの液体流出口とポンプユニットの液体受入口とをホースで接続し、一方、ポンプユニットの液体送出口にホースを介して噴口を接続して、噴霧器として用いるようにしている。
【先行技術文献】
【特許文献】
【０００３】
【特許文献１】特開２００９−１８２３６号公報
【発明の概要】
【発明が解決しようとする課題】
【０００４】
従来の噴霧器では、例えば、消毒用と除草用とでは薬液が相違するため、消毒専用とか、除草専用とか、その用途ごとに専用の噴霧器を用意しなければならず、厄介であった。
あるいは、１台の噴霧器を用い、用途を変更するごとに、タンクおよびポンプユニットを洗浄して用いることも考えられるが、その都度洗浄することは作業上極めて厄介であった。
また、タンクの容量が決まっているため、小さなタンクの場合には、大量の薬液を散布する際には何回も薬液を小分けにしてタンクに注入する作業をしなければならず、他方、大きなタンクの場合には、少量の薬液しか散布しない場合であっても大きなタンクを背負って作業をしなければならないという不具合があった。
【０００５】
本発明は上記課題を解決すべくなされたものであり、その目的とするところは、用途等に応じてタンクとポンプユニットとを自在に選択して組合わせて使用できる噴霧器を提供することにある。
【課題を解決するための手段】
【０００６】
上記の目的を達成するため、本発明は次の構成を備える。
すなわち、本発明に係る噴霧器は、タンクと、該タンクに取り付けられ、タンクの中の液体を送出するポンプユニットを具備する噴霧器において、前記タンクに液体流出口が設けられ、前記ポンプユニットに、液体受入口が設けられ、前記タンクと前記ポンプユニットとが前記液体流出口と前記液体受入口とが直接嵌合して接続される状態で組み付け可能に設けられていることを特徴とする。
【０００７】
また、前記ポンプユニット側の前記液体受入口が雄型の筒体をなし、前記タンク側の前記液体流出口が雌型の筒体をなし、前記雄型の筒体外壁と前記雌型の筒体の内壁との間にシール部材が配設され、前記雄型の筒体が前記雌型の筒体に嵌入した状態で接続されることを特徴とする。
また、前記タンク側の前記液体流出口内に、前記タンクと前記ポンプユニットとが分離された際に、前記タンク内の流体の流出を阻止する逆止弁を設け、前記タンクと前記ポンプユニットが組み付けられた際、前記雄型の筒体により前記逆止弁が移動して、前記液体流出口と前記液体受入口とを連通するようにすると好適である。
【０００８】
前記タンクと前記ポンプユニットとの間に、両者の組み付け状態を維持するワンタッチ式の留め具を設けると好適である。
複数種類の前記タンクを準備すると好都合である。
【発明の効果】
【０００９】
本発明によれば、ポンプユニットを液体受入口が液体流出口に直接嵌合する状態でタンクに装着することで、容易に組み付けが可能であり、また従来のように、ホースの取り回しの空間が必要でなくなり、一層の小型化が可能となる。
また、従来では、消毒（防除）用と除草用等で、薬剤の異なる複数用途に応じて、それぞれ専用の噴霧器を用意しなければならない場合があったが、本発明では、ポンプユニットとタンクとを簡単に取り外しできるので、タンクを、用途に応じて複数種類用意すれば足りる。
あるいは、容量の異なる、例えば、１０Ｌ、１５Ｌ、２０Ｌ等の複数種類のタンクを用意することにより、薬液散布量に応じて、最適なタンクを選択して用いることができるので便利である。
また、樹脂製のタンクは、落下したりした際に破損しやすいが、この場合にあっても、タンクのみを容易に交換することができ、コスト的に有利である。
また、作業後、タンク内部を洗浄する際、タンクのみを分離して洗浄することもできる。これにより、液体に対して弱い電気系統を有するポンプユニットの洗浄を極力少なくすることができる。
また、作業中にポンプユニット側に何らかのトラブルが生じた際、タンクを外して、ポンプユニット側のみを修理に出せばよい。この場合、液体流出口に逆止弁を設けておけば、タンク内の液体が流出してしまうのを防止できる。また、この場合に、別のポンプユニットをタンクに取り付けることにより、噴霧作業を続行することができる。
【図面の簡単な説明】
【００１０】
【図１】タンクとポンプユニットとを分離した（取り外した）状態の噴霧器の側面図である。
【図２】タンクとポンプユニットとを分離した（取り外した）状態の噴霧器の平面図（説明図）ある。
【図３】タンクとポンプユニットとを組み付けた状態の噴霧器の側面図である。
【図４】タンクとポンプユニットとを組み付けた状態の噴霧器の平面図（説明図）である。
【図５】タンクの液体流出口とポンプユニットの液体受入口の構造を示す説明図である。
【図６】流体受入口に溝を設けた場合の説明図である。
【図７】タンクの液体流出口とポンプユニットの液体受入口とを接続した構造を示す説明図である。
【発明を実施するための形態】
【００１１】
以下本発明の実施の形態を添付図面に基づき詳細に説明する。
図１は本実施の形態に係る噴霧器１０のタンク１２とポンプユニット１４とを分離した（取り外した）状態の側面図、図２はその平面説明図、図３はタンク１２とポンプユニット１４とを組み付けた状態の側面図、図４はその平面説明図である。
タンク１２は液体流出口１６を有する。また、１７は薬液口に被せられる蓋であり、薬液口からタンク１２内に液体を入れる際に開閉される。
ポンプユニット１４には液体受入口１８が設けられている。なお、図１〜図４において、ポンプユニット１４における具体的なポンプ機構は省略している。
１９は、液体送出口であり、ホース（図示せず）を介して噴口（図示せず）が接続される。
【００１２】
本実施の形態では、ポンプユニット１４が、液体受入口１８が液体流出口１６に直接に嵌合して接続される状態でタンク１２に組み付け可能に設けられている。
なお、２０は、フックを有するいわゆるぱっちん式の留め具である。ポンプユニット１４を、液体受入口１８が液体流出口１６に直接嵌合する状態でタンク１２に装着し、留め具２０の、レバー２０ａを回動してそのフック部をタンク１２側のフック部２０ｂに掛止した後、レバー２０ａを反対側に回動することにより、公知のテコ作用により締め付けて、ポンプユニット１４をタンク１２にワンタッチで組み付け可能にしている。なお、留め具２０は、上記ぱっちん式のものに限られず、ポンプユニット１４とタンク１２とを容易に着脱可能に組み付けられるものであればよい。
【００１３】
図５〜図７に、タンク１２の液体流出口１６と、ポンプユニット１４の液体受入口１８の詳細を示す。
ポンプユニット１４側の液体受入口１８は雄型の筒体（雄型コネクタ）をなしている。この液体受入口１８の外周面には、シール部材たるＯリング２２が設けられている。
一方、タンク１２側の液体流出口１６は雌型の筒体（雌型コネクタ）に形成されている。
そして、図７に示すように、雄型の筒体１８が雌型の筒体１６に嵌入した状態で接続されることによって液体の流路が連通し、タンク１２内の液体がポンプユニット１４によって吸引可能になっている。
【００１４】
タンク１２側の液体流出口１６内に、タンク１２とポンプユニット１４とが分離された際に、タンク１２内の液体の流出を阻止する逆止弁２４が配設されている。
逆止弁２４はコイルスプリング２５により、液体流体口１６の出口方向に付勢されて、弁座２６に押圧されていて、流路を遮断している。
そして、タンク１２とポンプユニット１４が組み付けられた際、図７に示すように、雄型の筒体１８により逆止弁２４が移動されて、液体流出口１６と液体受入口１８とが連通するようになっている。
【００１５】
なお、雄型の筒体１８により押圧されて逆止弁２４が移動された際、逆止弁２４によって雄型の筒体１８先端の流路が閉塞される可能性があるので、図７に示すように、雄型の筒体１８の先端部の壁部に、筒体内部に通じる溝２８を設けるようにするとよい。
なお、逆止弁２４は必ずしも設けなくともよい。すなわち、本実施の形態では、基本的に、液体流出口１６と液体受入口１８とが直接に嵌合して、ホースを介さずに連通するようになっていればよい。またこの場合のコネクタ構造は、ポンプユニット１４側を雌型コネクタにし、タンク１２側を雄型コネクタにするようにしてもよい。
【００１６】
本実施の形態に係る噴霧器１０は上記のように構成されている。
上記のように、本実施の形態に係る噴霧器１０は、ポンプユニット１４を液体受入口１８が液体流出口１６に直接嵌合する状態でタンク１２に装着し、留め具２０により締め付けるだけで、ワンタッチで組み付けが可能であり、組み付けが容易であり、また従来のように、ホースの取り回しの空間が必要でなくなり、一層の小型化が可能となる。
【００１７】
また、従来では、消毒（防除）用と除草用等で、薬剤の異なる複数用途に応じて、それぞれ専用の噴霧器を用意しなければならない場合があったが、本実施の形態では、ポンプユニット１４とタンク１２とを簡単に取り外しできるので、タンク１２を、用途に応じて複数種類用意すれば足りる。すなわち、ポンプユニット１４側を共通に用いるようにする。この場合、ポンプユニット１４のみを洗浄して、共用すればよい。
あるいは、容量の異なる、例えば、１０Ｌ、１５Ｌ、２０Ｌ等の複数種類のタンク１２を用意することにより、薬液散布量に応じて、最適なタンク１２を選択して用いることができるので便利である。
【００１８】
また、樹脂製のタンク１２は、落下したりした際に破損しやすいが、この場合にあっても、タンク１２のみを容易に交換することができ、コスト的に有利である。
また、作業後、タンク１２内部を洗浄する際、タンク１２のみを分離して洗浄することもできる。これにより、液体に対して弱い電気系統を有するポンプユニット１４の洗浄を極力少なくすることができる。
【００１９】
また、作業中にポンプユニット１４側に何らかのトラブルが生じた際、タンク１２を外して、ポンプユニット１４側のみを修理に出せばよい。この場合、液体流出口１６に逆止弁２４を設けておけば、タンク１２内の液体が流出してしまうのを防止できる。また、この場合に、別のポンプユニット１４をタンク１２に取り付けることにより、噴霧作業を続行することができる。
【符号の説明】
【００２０】
１０  噴霧器
１２  タンク
１４  ポンプユニット
１６  液体流出口
１７  蓋体
１８  液体受入口
１９  液体送出口
２０  留め具
２２  シール部材
２４  逆止弁
２５  コイルスプリング
２６  弁座
２８  溝
【図１】
2016087496.tif 000003
【図２】
2016087496.tif 000004
【図３】
2016087496.tif 000005
【図４】
2016087496.tif 000006
【図５】
2016087496.tif 000007
【図６】
2016087496.tif 000008
【図７】
2016087496.tif 000009